(57)【特許請求の範囲】
【請求項１】
細かい塵埃や花粉が侵入するのを防げる程度にフィラメントの繊度が細く、メッシュが細かい網戸用ネットを対象とし、網戸用枠体の内周の一辺とその対向辺に設けられた、口部を網戸用枠体の内周平面壁とそれに対向する内向き突縁とにより狭窄化して形成した係止用溝に、上記網戸用ネットとともに押入することにより該ネットを固定するための合成樹脂製の押さえ部材であって、
該押さえ部材は、係止用溝を覆う覆板に、該係止用溝に対して嵌る脚部を備えることにより構成され、該脚部は、上記内向き突縁に圧接する状態で上記係止用溝に嵌る弾性変形可能な脚条と、上記網戸用枠体の内周平面壁に当接して装着姿勢を保持する当接板部とによって構成され、
上記脚条の先端部外側面で、上記係止用溝へネットを介して該脚条を押入する際に係止用溝の内向き突縁の先端に圧接する部分は、上記ネットの滑動を許容する平滑な斜面として構成され、且つ、該脚条には上記押さえ部材の係止用溝への押入完了時に上記内向き突縁の内側に係止する係止縁を有する係止突部を備え、該係止縁が、上記係止突部の先端部外側における上記斜面に背向する斜面により形成され、
上記脚条の先端部で該脚条を係止用溝に押入する際に該係止用溝の内向き突縁に圧接しない部分に、ネットに対して摩擦による引張力を付与するところの、押さえ部材を構成する合成樹脂より軟質の軟質材または粗面からなる摩擦部を形成し、
上記覆板における脚条の外側部に、上記係止用溝における内向き突縁の外面との間に挟持したネットに圧接する覆板より軟質の圧接部を一体に形成し、該圧接部に、上記係止用溝における内向き突縁の外面との間に挟持したネットに弾性的に圧接してネット表面の凹凸に食い込む尖頭状の突条が突設され、
上記当接板部の上端で、押さえ部材の係止用溝への押入完了時に係止用溝の内周平面壁に圧接する部分に、軟質材からなるネット端固定部片を付設した、
ことを特徴とする網戸用ネットの押さえ材。
【請求項２】
上記覆板の圧接部に設けられ、上記ネットに圧接することにより弾性変形する尖頭状の突条が、少なくとも１条である、
ことを特徴とする請求項１に記載の網戸用ネットの押さえ部材。
【発明の詳細な説明】
【技術分野】
【０００１】
本発明は、網戸用枠体の係止用溝に網戸用ネットとともに押入することにより、該ネットを枠体に対して固定するための網戸用ネットの押さえ部材に関し、特に既存の汎用防虫用ネットに比してフィラメントが細くてメッシュが細かい網戸用ネットを網戸用枠体に対して固定するのに適した網戸用ネットの押さえ部材に関するものである。
【背景技術】
【０００２】
近年、建物開口部からより小さな虫や細かい塵埃、花粉等が侵入するのを防ぎ、且つネットを通した視界をより明るくでき、通風性をも改善できるため、既知の汎用の防虫用ネットに比してフィラメントの繊度がより細く、メッシュがより細かい網戸用ネットの需要が多くなっているが、この種のネットは既知のネットに比して生地が薄く、必然的に表面が平滑で、ネット自体が柔軟であり、他物との摩擦力も小さく、表面が滑りやすい状態になっているため、網戸用枠体に対して既知のゴム紐状の押さえ部材等を使用して該ネットを固定しようとすると、該ネットが非常に滑りやすいことから、皺を生じさせることなく綺麗に張ることができないばかりでなく、張設した該ネットに外力が作用すると、簡単に抜け出し、あるいは押さえ部材とともに係止用溝から外れてしまうという問題がある。また、ネット自体が薄く傷が付きやすいため、ネットを押さえ部材で網戸用枠体に固定する際に、該押さえ部材からネットに対して部分的に集中して外力を作用させると、該ネットが破損してしまう可能性があり、単純に強い力での圧接による固定は困難である。
【０００３】
このような問題に対処し、特許文献１により開示されているネット押さえ部材においては、脚部を網戸用枠体の係止用溝内に押入してネットを固定する際に、該ネットが脚部の外側を適度に滑るようにし、最終的にネットの固定がほぼ完了する段階で覆板における軟質の圧接部が上記ネット表面の凹凸により変形しながら該ネットに対して弾性的に圧接され、該圧接部とネットとの間の摩擦力によって該ネットが係止用溝内でずれ動くのを抑止できるようにしている。
【０００４】
上記特許文献１の構成は、生地が薄くてその表面が滑りやすいネットを網戸用枠体に対して容易に且つ損傷を与えることなく安定的に固定するために有効なものではあるが、網戸用枠体に対するネットの張設時には、該ネットが滑りやすいため、方形の網戸用枠体の一辺にネットを固定した後、ネットを緊張状態にして対向辺に該ネットの他端を固定するに際し、作業者がネットに必要な張力を付与しておく必要があり、そのため、作業者により網戸用枠体に張設されたネットの緊張力にバラツキが生じる可能性がある。
【特許文献１】特開２００７−２０５１５３号公報
【発明の開示】
【発明が解決しようとする課題】
【０００５】
本発明の技術的課題は、フィラメントが細くメッシュが細かく、結果的に表面が滑りやすいネットを、網戸用枠体に対して容易にほぼ一定の緊張力で張設するのに有効な網戸用ネットの押さえ部材を提供することにある。
本発明の他の技術的課題は、ネットを押さえ部材で網戸用枠体に固定する際に、該押さえ部材からネットに対して外力が部分的に集中して作用することがなく、該ネットに傷を付けたり破損させることなく固定することが可能な網戸用ネットの押さえ部材を提供することにある。
【課題を解決するための手段】
【０００６】
上記課題を解決するための本発明に係る網戸用ネットの押さえ部材は、細かい塵埃や花粉が侵入するのを防げる程度にフィラメントの繊度が細く、メッシュが細かい網戸用ネットを対象とし、網戸用枠体の内周の一辺とその対向辺に設けられた、口部を網戸用枠体の内周平面壁とそれに対向する内向き突縁とにより狭窄化して形成した係止用溝に、上記網戸用ネットとともに押入することにより該ネットを固定するための合成樹脂製の押さえ部材であって、該押さえ部材は、係止用溝を覆う覆板に、該係止用溝に対して嵌る脚部を備えることにより構成され、該脚部は、上記内向き突縁に圧接する状態で上記係止用溝に嵌る弾性変形可能な脚条と、上記網戸用枠体の内周平面壁に当接して装着姿勢を保持する当接板部とによって構成され、上記脚条の先端部外側面で、上記係止用溝へネットを介して該脚条を押入する際に係止用溝の内向き突縁の先端に圧接する部分は、上記ネットの滑動を許容する平滑な斜面として構成され、且つ、該脚条には上記押さえ部材の係止用溝への押入完了時に上記内向き突縁の内側に係止する係止縁を有する係止突部を備え、該係止縁が、上記係止突部の先端部外側における上記斜面に背向する斜面により形成され、上記脚条の先端部で該脚条を係止用溝に押入する際に該係止用溝の内向き突縁に圧接しない部分に、ネットに対して摩擦による引張力を付与するところの、押さえ部材を構成する合成樹脂より軟質の軟質材または粗面からなる摩擦部を形成し、上記覆板における脚条の外側部に、上記係止用溝における内向き突縁の外面との間に挟持したネットに圧接する覆板より軟質の圧接部を一体に形成し、該圧接部に、上記係止用溝における内向き突縁の外面との間に挟持したネットに弾性的に圧接してネット表面の凹凸に食い込む尖頭状の突条が突設され、上記当接板部の上端で、押さえ部材の係止用溝への押入完了時に係止用溝の内周平面壁に圧接する部分に、軟質材からなるネット端固定部片を付設したことを特徴とするものである。上記覆板の圧接部に設けられ、上記ネットに圧接することにより弾性変形する尖頭状の突条は、少なくとも１条、望ましくは２〜３条とすることにより、ネットの固定を確実に行うことができる。
【０００７】
上記構成を有する網戸用ネットの押さえ部材によれば、方形の網戸用枠体の一辺において、係止用溝内に上記押さえ部材の脚部を押入してネットを固定する際には、脚部の外側などの摩擦部がなくてネットの滑動を許容する平滑面の部分で、該ネットが脚部に対して適度に滑るので、脚部の先端部分等に軟質材や粗面からなる摩擦部があっても、該ネットに対して局部的に大きな力が作用することがなく、脚部が係止用溝に円滑に押入され、そして、最終的な固定がほぼ完了する段階で、上記覆板における軟質の圧接部が上記ネット表面の凹凸により変形しながら該ネットに対して弾性的に圧接されるので、該圧接部とネットとの間の摩擦力によって該ネットが係止用溝内でずれ動くのを抑止され、該ネットを網戸用枠体に対して確実に、しかも安定的に固定することができる。
【０００８】
網戸用枠体の一辺にネットを固定した後、ネットを緊張状態にして枠体の対向辺に該ネットの他端を固定するに際しては、ネットに弛みがないようにして、該対向辺の係止用溝に該ネットを介して上記押さえ部材の脚部を押入すると、脚部の外側などの摩擦部がない平滑面の部分ではネットが脚部に対して滑るが、脚部の先端部分等に設けた軟質材や粗面からなる摩擦部では、それに接するネットに対して摩擦による適度の引張力が作用し、その引張力でネットが係止用溝内に引き込まれる。該摩擦部は、単にその表面にネットが圧着されているだけで、ネットに損傷を与える程度に大きな摩擦力でネットを引き込むものではなく、ネットに対する引張力が過大になると該ネットが摩擦部に対して滑るように形成され、そのため、該摩擦部の摩擦力により決まる引張力でネットが係止用溝に引き込まれ、該ネットが該引張力によって決まるほぼ一定の緊張力で張設されることになる。
【０００９】
網戸用枠体に対するネットの最終的な固定は、勿論、上記覆板における軟質の圧接部が上記ネット表面の凹凸により変形しながら該ネットに対して弾性的に圧接されることにより得られるものであり、上記摩擦部においてネットに作用する摩擦力はネットにバラツキのない必要な緊張力を与えるもので、覆板の圧接部とネットとの間の摩擦力によって該ネットが係止用溝内でずれ動くのを抑止される。その結果、該ネットを網戸用枠体に対して確実に、しかも、バラツキのない緊張力を付与して安定的に固定することができる。
【００１３】
この網戸用ネットの押さえ部材では、一つの脚条の先端部外側で係止用溝の内向き突縁に圧接する部分が、上記係止突部の先端部外側の斜面と係止縁の斜面によってなだらかな山型の平滑面に形成されているので、上記押さえ部材の脚部を網戸用枠体の係止用溝内に押入してネットを固定する際に、該ネットは脚条の上記斜面上を滑り、押さえ部材からネットに対して外力が部分的に集中して作用することがない。係止用溝に対する押さえ部材の押入がほぼ完了する時点では、斜面状の係止縁が係止用溝の内向き突縁にネットを介して圧接することにより、押さえ部材が最終押入位置に保持され、この段階で、脚条等に設ける摩擦部がネットに対して適度の緊張力を付与し、また、覆板の軟質の圧接部と上記内向き突縁との間でネットを確実に挟持することは、上述した通りである。また、上記脚条に対峙する当接板部は、網戸用枠体の内周平面壁に当接して押さえ部材の装着姿勢を保持するように機能し、その当接板部の上端で、押さえ部材の係止用溝への押入完了時に係止用溝の内周平面壁に圧接する部分に設けた軟質材からなるネット端固定部片は、前記覆板の軟質の圧接部と同様に、最終的なネットの固定がほぼ完了する段階で、該ネット端固定部片とネットとの間の摩擦力によって該ネットが係止用溝内でずれ動くのを抑止するものである。
【発明の効果】
【００１４】
以上に詳述した本発明の網戸用ネットの押さえ部材によれば、フィラメントが細くメッシュが細かく、結果的に表面が滑りやすいネットを、網戸用枠体に対して容易にほぼ一定の緊張力で張設するのに有効な網戸用ネットの押さえ部材を得ることができ、また、ネットを押さえ部材で網戸用枠体に固定する際に、該押さえ部材からネットに対して外力が部分的に集中して作用することがなく、該ネットに傷を付けたり破損させることなく固定することが可能になる。
【発明を実施するための最良の形態】
【００１５】
図１は、本発明に係る網戸用ネットの押さえ部材を防虫・花粉除け網戸におけるネットの固定に適用した場合の第１実施例を示している。この網戸は、窓枠などの建物開口部に固定的に、あるいは摺動自在に配設されるものである。
上記網戸においては、四辺を構成するアルミニウム製の横枠部材及び縦枠部材により方形に形成された網戸用枠体１０と、該枠体１０に張設されたネット８と、該ネット８を枠体１０に固定するための合成樹脂製の押さえ部材１４とを備えている。上記ネット８は、既知の防虫用ネットよりも細い繊度のポリエステル繊維あるいはポリプロピレン繊維等のフィラメントを用い、それを平織あるいはラッセル織で織成することにより既知の防虫用ネットよりメッシュを非常に細かく形成したものである。
【００１６】
上記枠体１０を構成する横枠部材及び縦枠部材には、図１に示すように、そのネット張設面に沿う一面の内周側に形成した凹段部に、係止用溝１１が形成されている。この係止用溝１１は、口部が左右一対の内向き突縁１２により狭窄化されたものである。そして、上記ネット８は、該枠体１０の係止用溝１１を設けたネット張設面に沿う一面上に該ネット８を載置した状態で、上記合成樹脂製の押さえ部材１４と共に係止用溝１１内に押入され、以下に詳述するような態様で枠体１０に張設固定されるものである。なお、上記枠体１０を構成する横枠部材及び縦枠部材は、同一断面形状を有するものとは限らないが、口部が内向き突縁１２により狭窄化された係止用溝１１は、実質的に同一形状を有するものとして構成される。
【００１７】
上記押さえ部材１４は、合成樹脂の押出し成形により形成され、網戸用枠体１０の係止用溝１１を覆う覆板１５に、該係止用溝１１に対してその口部両側の内向き突縁１２にそれぞれネット８を介して圧接する状態で嵌る脚部を備えている。この脚部は、覆板１５に一体的に設けられた一対の弾性変形可能な脚条１６により構成されている。
そして、上記覆板１５における脚条１６の両外側に、該覆板１５及び脚条１６よりも軟質の合成樹脂により該覆板１５と一体成形された一対の圧接部１７が形成され、該一対の圧接部１７には、上記係止用溝１１における内向き突縁１２の外面１２ａとの間に挟持した上記ネット８に弾性的に圧接してネット表面の凹凸に食い込む尖頭状の突条１７ａがそれぞれ突設されている。
【００１８】
図１における覆板１５の左側の突条１７ａは、係止用溝１１の内向き突縁１２のネット８に圧接する前の未変形状態を示し、同右側の突条１７ａは、内向き突縁１２上のネット８に弾性的に圧接してネット８表面の凹凸に食い込むような態様で変形した状態を示している。該突条１７ａは、１条でもよいが、２〜３条とすることによりネット８の固定を効果的に行うことができる。また、上記圧接部１７は、覆板１５の両側部に設けているが、後述する第３実施例以下のように、覆板１５の一方の側部のみに設けることもできる。
【００１９】
上記一対の脚条１６は、それらの先端部外側に、上記係止用溝１１への押入時に該係止用溝１１の内向き突縁１２の先端にネット８を介して圧接する斜面１６ｂをそれぞれ有し、且つ、該押さえ部材１４の係止用溝１１への押入完了時に上記突縁１２の内側に係止する係止縁１６ｃを有する係止突部１６ａを備えている。この係止突部１６ａの係止縁１６ｃは、該係止突部１６ａの先端部外側における上記斜面１６ｂに背向する斜面に形成されており、それにより、該係止突部１６ａは、上記係止用溝１１内への押入完了時において係止用溝１１の内向き突縁１２の内側に接するなだらかな山型に形成されている。
この実施例における脚条１６は、全体がほぼ一定の厚さを持つように形成されているため、脚条１６が外力を受けたときの弾性変形は、片持ち梁的なものとなる。
【００２０】
係止用溝１１へネット８を介して一対の脚条１６を押入する際に該係止用溝１１の内向き突縁１２に圧接する部分の表面、つまり、少なくとも、上記係止突部１６ａにおける係止用溝１１の内向き突縁１２の先端を通る垂線から外側に突出している部分の表面は、上記ネット８の滑動を許容する平滑面として構成され、一方、上記脚条１６の外面で該脚条１６を係止用溝１１に押入する際に該係止用溝１１の内向き突縁１２に圧接しない部分には、ネット８に対して摩擦による引張力を付与する軟質材からなる摩擦部１８を形成している。該摩擦部１８は、上記脚条１６を構成する合成樹脂またはそれよりも軟質の樹脂の表面を粗面として形成することもできる。
【００２１】
上記摩擦部１８は、係止用溝１１にネット８を介して押さえ部材１４の脚条１６を押入するとき、その摩擦部１８に接するネット８に対して摩擦による引張力を作用させ、その引張力でネット８が係止用溝１１内に引き込まれることになるので、この摩擦部１８によるネット８に対する引張力が最終的にネット８に与える緊張力になり、しかも、ネット８に対する引張力が過大になると該ネット８が摩擦部１８に対して滑るように設定しておくことにより、結果的に、該摩擦部の摩擦力により決まるほぼ一定の緊張力でネットを張設することが可能になる。
【００２２】
上述した網戸用ネットの押さえ部材１４を用いて、上記網戸用枠体１０に対してネット８を張設するに際しては、先ず、枠体１０上にネット８を載置し、次いで、押さえ部材１４を一つの係止用溝１１上においてネット８の上に置き、上記ネット８を押さえ部材１４で係止用溝１１に対して押圧する。これにより、押さえ部材１４の一対の脚条１６における係止突部１６ａの斜面１６ｂが、ネット８を介して係止用溝１１の内向き突縁１２の先端に当接し、押さえ部材１４に加わる押圧力により該押さえ部材１４の脚条１６が内側に弾性変形しながら押入される。脚条１６の係止突部１６ａの全体が係止用溝１１の内向き突縁１２の内側を通過すると、脚条１６がほぼ元の形に戻り、上記係止縁１６ｃが係止用溝１１の内向き突縁１２の内側にネット８を介して係止され、押さえ部材１４の抜け出しが防止される。
【００２３】
そして、最終的な固定がほぼ完了する段階で、押さえ部材１４における覆板１５の圧接部１７に突設した軟質の突条１７ａが、上記ネット８の表面の凹凸により変形しながらネット８に対して弾性的に圧接され、それによって該ネット８を覆板１５の圧接部１７と内向き突縁１２の外面１２ａとの間に挟持するようにしているので、該突条１７ａとネット８との間の摩擦力によって該ネット８がずれ動くのが抑制され、該ネット８を安定的に固定することができる。しかも、上記係止用溝１１に対する押さえ部材１４の押入がほぼ完了する時点では、斜面状の係止縁１６ｃが開口の内向き突縁１２にネット８を介して圧接し、上記軟質の圧接部１７との間で上記内向き突縁１２及びネット８を挟持するので、このネット８の固定状態においては上記押さえ部材１４が係止用溝１１の口部に安定的に保持される。
【００２４】
網戸用枠体１０の一辺にネット８を固定した後、ネット８を緊張状態にして対向辺に該ネット８の他端を固定するに際しては、ネット８に弛みがないようにして、あるいは、ある程度緊張状態に保持して、該対向辺の係止用溝１１に該ネット８を介して上記押さえ部材１４の一対の脚条１６を押入するが、該脚条１６の外側などの摩擦部１８がない平滑面の部分では、ネット８が脚条１６に対して滑るので該ネット８が格別の損傷を受けることはない。
【００２５】
ところが、脚条１６の先端部分等に設けた軟質材や粗面からなる摩擦部１８では、それに接するネット８に対して摩擦による適度の引張力が作用し、その引張力でネット８が係止用溝１１内に引き込まれる。但し、該摩擦部１８では、単にその表面にネット８が圧接されているだけで、ネット８に損傷を与える程度に大きな摩擦力で該ネットを引き込むものではなく、ネット８に対する引張力が過大になると該ネット８が摩擦部１８に対して滑るので、結果的に、該摩擦部１８の摩擦力により決まる引張力でネット８が係止用溝１１に引き込まれ、ネット８が上記引張力に相当するほぼ一定の緊張力で張設されることになる。この摩擦部１８は、係止用溝１１に対する押さえ部材１４の押入に際して内向き突縁１２の先端等にネット８を介して圧接されるようなことがなく、それによって、ネット８の損傷が抑制される。係止用溝１１に対する最終的なネットの固定は、前述した通りである。
【００２６】
このような張設作業により、上記ネット８を網戸用枠体１０に対して容易に且つ確実に緊張状態に張設することができ、張設後に多少の外力が作用しても、ネット８がずれ動いて皺ができるようなことはなく安定的に固定することができる。
そして、枠体１０の四周についての押さえ部材１４による固定を行ったうえで、押さえ部材１４の外側にあるネット８の端部を切除することにより、それらの張設作業が完了する。
【００２７】
図２は、本発明に係る網戸用ネットの押さえ部材の第２実施例を示している。この第２実施例の押さえ部材においても、それによってネット８を固定する上記網戸用枠体１０の係止用溝１１は、一対の対向する内向き突縁１２の間に狭窄化した口部を有するものとして構成され、第１実施例の枠体１０と変わるところがないが、押さえ部材１４における脚部の構成が相違している。
即ち、上記押さえ部材１４の脚条１６は、それらの先端部外側に斜面１６ｂを有し、且つ、該押さえ部材１４の係止用溝１１への押入完了時に上記突縁１２の内側に係止する係止縁１６ｃを有する係止突部１６ａを備えているが、その係止突部１６ａの背後である脚条１６の内側面は平面状に形成され、結果的に、脚条１６における係止突部１６ａよりも基端側がほぼ一定の厚さを持つように形成されている。そのため、この第２実施例における脚条１６は、外力を受けたときにその係止突部１６ａよりも基端側が弾性的な変形を負担することになる。
【００２８】
この第２実施例における押さえ部材１４のその他の構成は、第１実施例の場合と同様であり、即ち、押さえ部材１４が合成樹脂の押出し成形により形成され、覆板１５における脚条１６の両外側部分に、軟質合成樹脂からなる尖頭状の突条１７ａが突設された圧接部１７を設け、また、上記脚条１６の外面で該脚条１６を押入する際に係止用溝１１の内向き突縁１２に圧接しない部分に、ネット８に対して摩擦による引張力を付与する軟質材または粗面からなる摩擦部１８を形成している。
なお、この第２実施例の作用も第１実施例の場合と変わるところがないので、それらの説明は省略する。また、以下の実施例を含めて、上記尖頭状の突条１７ａは、図では圧接により変形した状態を示し、その変形前の形状は図１の左側の突条と同一である。
【００２９】
図３は、本発明に係る網戸用ネットの押さえ部材の第３実施例を示している。この図３以下の実施例における押さえ部材２４は、上述した第１及び第２実施例における網戸用枠体１０とは形態が異なる網戸用枠体２０において用いるもので、その網戸用枠体２０は、押さえ部材２４を押入する係止用溝２１が網戸用枠体２０の内周平面壁２３とそれに対向する内向き突縁２２との間に狭窄化した口部を有するものとして構成されている。
上記網戸用枠体２０にネット８を介して装着する第３実施例の押さえ部材２４は、係止用溝２１を覆う覆板２５に、該係止用溝２１に対してその内向き突縁２２に圧接する状態で嵌る弾性変形可能な脚部を備えることにより構成されているが、該脚部が、上記内向き突縁２２に圧接する状態で嵌る弾性変形可能な脚条２６と、上記網戸用枠体２０の内周平面壁２３に当接して装着姿勢を保持する当接板部２９とによって構成されている。したがって、この当接板部２９は覆板２５の端部に連結されている。
【００３０】
上記脚条２６は、第１実施例の脚条１６と同様に、その先端部外側に、上記係止用溝２１への押入時に係止用溝２１の内向き突縁２２の先端に圧接する斜面２６ｂを有し、且つ、上記押さえ部材２４の係止用溝２１への押入完了時に上記突縁２２の内側に係止する係止縁２６ｃを有する係止突部２６ａを備え、上記係止縁２６ｃが、係止突部２６ａの先端部外側における上記斜面２６ｂに背向する斜面に形成されている。そして、脚条２６の外面で、係止用溝２１へネット８を介して押入する際に該係止用溝２１の内向き突縁２２に圧接する部分は、上記ネット８の滑動を許容する平滑面として構成している。
【００３１】
また、上記第１実施例と同様に、上記脚条２６外面で該脚条２６を押入する際に該係止用溝２１の内向き突縁２２に圧接しない部分に、ネット８に対して摩擦による引張力を付与する軟質材または粗面からなる摩擦部２８を形成している。上記摩擦部２８自体の構成は、第１実施例で説明したところと変わるところがない。
一方、上記当接板部２９は、網戸用枠体２０の内周平面壁２３に当接して装着姿勢を保持するものとして構成しているが、該装着姿勢を保持させるために、必ずしも図示するようにその外側面のほぼ全面を内周平面壁２３に当接させる必要はなく、該装着姿勢が保持される範囲内で外側面の一部を当接させたり、外側面の上下の２点ないしはそれを含む３数点以上で当接させることもできる。
【００３２】
上記覆板２５における脚条２６の外側部には、上記係止用溝２１における内向き突縁２２の外面との間に挟持したネット８に圧接する軟質の圧接部２７を一体に形成し、該圧接部２７に、上記係止用溝２１における内向き突縁２２の外面２２ａとの間に挟持したネット８に弾性的に圧接して先端がネット表面の凹凸に食い込む尖頭状の突条２７ａを突設している。この圧接部２７の構成及び作用自体は、第１実施例の場合と変わるところがないが、この第３実施例及び以下に説明する各実施例では、脚部を内向き突縁２２上に延びる覆板２５の下面の脚条２６と、反対側の覆板２５の端部に位置する当接板部２９によって形成し、その脚条２６側の覆板２５のみに圧接部２７設けている。
【００３３】
上記構成を有する第３実施例の押さえ部材２４を用いて、網戸用枠体２０に対してネット８を張設するに際しては、第１実施例において説明したところと同様の操作を行うことになるが、押さえ部材２４が一つの脚条２６しか有していないので、この脚条２６が第１実施例における脚条１６と同様に機能し、該脚条２６に対峙する当接板部２９は、押さえ部材２４の装着姿勢を保持するために機能することになる。そして、その他の作用等は前記第１実施例の場合変わるところがないので、ここではそれらの説明を省略する。
【００３４】
図４に示す第４実施例は、上記第３実施例に比して、主として当接板部２９の構成に違いがあるもので、この第４実施例では、上記脚条２６の先端部及び当接板部２９の先端の内向き傾斜部２９ａの外面に摩擦部２８を設けている。その構成及び作用は前記第１実施例で説明したところと変わるものではない。なお、上記摩擦部２８は、当接板部２９の先端の内向き傾斜部２９ａの外面のみに設けることもできる。
また、上記網戸用枠体２０の内周平面壁２３における係止用溝２１の開口部分に係合溝３０を設け、押さえ部材２４を係止用溝２１に装着したときの上記当接板部２９における該係合溝３０に対応する位置に、ネット８を介して該係合溝３０に嵌入する係合突子３１を設けている。
【００３５】
上記第４実施例における係合溝３０と係合突子３１は、網戸用枠体２０の係止用溝２１内に装着した押さえ部材２４の姿勢を安定化させると共に、該押さえ部材２４の離脱を抑制するために有効なものである。
なお、この第４実施例のその他の構成は第３実施例と変わるところがなく、その作用も第１及び第３実施例と変わるところがないので、対応部分に第３実施例と同一の符号を付してそれらの説明を省略する。
【００３６】
図５は、本発明の第５実施例を示すもので、この第５実施例でも、上記第３、第４実施例に比して、主として当接板部２９の構成に違いがある。即ち、この第５実施例においては、その当接板部２９の上端で、押さえ部材２４の係止用溝２１への押入完了時に該係止用溝２１の内周平面壁２３に圧接する部分に、軟質材からなるネット端固定部片３２を付設している。このネット端固定部片３２は、前記実施例で説明した覆板２５の軟質の圧接部２７と同様な軟質合成樹脂により当接板部２９と一体に成形されたもので、最終的なネット８の固定がほぼ完了する段階で、上記圧接部２７とほぼ同様にネット８端の固定に寄与し、該ネット端固定部片３２とネット８との間の摩擦力によって該ネット８が係止用溝２１内でずれ動くのを抑止するものである。
【００３７】
また、この第５実施例における当接板部２９の先端には、網戸用枠体２０の内周平面壁２３に設けた係合溝３３にネット８を介して係合する係合突子３４を設けている。この係合溝３３と係合突子３４は、網戸用枠体２０の係止用溝２１内に装着した押さえ部材２４の姿勢を安定化させると共に、該押さえ部材２４の離脱を抑制するために有効なものである。
なお、この第５実施例のその他の構成は第３実施例と変わるところがなく、その作用も第１及び第３実施例と変わるところがないので、対応部分に第３実施例と同一の符号を付してそれらの説明を省略する。
【００３８】
図６は、本発明に係る第６実施例を示している。この第６実施例は、第３実施例における脚条２６として、第２実施例における脚条１６と同形状のものを用いたものである。
なお、この第６実施例における脚条２６の構成及び作用は、第２実施例のものと変わるところがなく、その他の構成及び作用は第３実施例と変わるところがないので、第３実施例との対応部分に同実施例と同一の符号を付してそれらの説明を省略する。
【００３９】
上記各実施例においては、脚部を独立した一対の脚条１６、または独立した脚条２６と当接板部２９とによって構成しているが、一対の脚条１６の先端相互、あるいは脚条２６と当接板部２９の先端相互を、可撓性のある連結部において連結することもできる。
【図面の簡単な説明】
【００４０】
【図１】本発明の第１実施例に係る網戸用ネットの押さえ部材を網戸用枠体の係止用溝に装着した状態を示す断面図である。
【図２】本発明の第２実施例の押さえ部材の図１と同様な断面図である。
【図３】本発明の第３実施例の押さえ部材の図１と同様な断面図である。
【図４】本発明の第４実施例の押さえ部材の図１と同様な断面図である。
【図５】本発明の第５実施例の押さえ部材の図１と同様な断面図である。
【図６】本発明の第６実施例の押さえ部材の図１と同様な断面図である。
【符号の説明】
【００４１】
８    ネット
１０，２０    網戸用枠体
１１，２１    係止用溝
１２，２２    内向き突縁
１４，２４    押さえ部材
１５，２５    覆板
１６，２６    脚条
１６ａ，２６ａ  係止突部
１６ｂ，２６ｂ  斜面
１６ｃ，２６ｃ  係止縁
１７，２７    圧接部
１７ａ，２７ａ    突条
１８，２８    摩擦部
２３    内周平面壁
２９    当接板部
２９ａ  内向き傾斜面
３２    ネット固定部片
【図１】
0005285320.tif 000002
【図２】
0005285320.tif 000003
【図３】
0005285320.tif 000004
【図４】
0005285320.tif 000005
【図５】
0005285320.tif 000006
【図６】
0005285320.tif 000007